(57)【特許請求の範囲】
【請求項１】
書籍に挟んで使用する自動しおりであって、
シート状のベースシートと、
前記ベースシートの端縁であって所定距離離れた位置の各々に接続された一対の弾性体と、
前記弾性体の各々に接続され、前記ベースシートに対向する位置に伸びるＶ字形状を有するシート状のしおり体とを備えた、自動しおり。
【請求項２】
前記弾性体に、前記位置の各々を結ぶ線に平行な少なくとも１本の折り目線を設けた、請求項１に記載の自動しおり。
【請求項３】
前記ベースシートはその一辺から突出する２つの連結体を有し、前記弾性体の各々は前記連結体の各々の先端に接続される、請求項１又は請求項２に記載の自動しおり。
【請求項４】
前記ベースシート、前記弾性体及び前記しおり体は１枚の合成樹脂シートの折り曲げ加工によって成形される、請求項１から請求項３のいずれかに記載の自動しおり。
【発明の詳細な説明】
【０００１】
【発明の属する技術分野】
この発明は自動しおりに関し、特に書籍の頁を捲る毎に、見開いた頁にしおりが自動的に繰り入れられる自動しおりに関するものである。
【０００２】
【従来の技術】
図９は、従来の自動しおりの全体図である。
【０００３】
図を参照して、自動しおり５０は、四角形をした合成樹脂シートからできたベースシート５と、ベースシート５の一辺から外方向に突出して設けられた突出部５４と、突出部５４に熱溶着された合成樹脂製の短冊形状をしたしおり体５１とからなっている。ベースシート５は、ポリエチレン、ポリプロピレン等の合成樹脂製であるので、弾性があり且つ柔軟に曲げることができる。又、突出部５４は、ベースシート５の一部であり、しおり体５１は、ポリエチレンやポリプロピレン等の合成樹脂製である。そのため弾性があり且つ柔軟性がある。このしおり体５１は、一端部の固着部５３において突出部５４と熱溶着され、他端部がベースシート５に向かって伸ばされ、ベースシート５と向かい合うように取付けられている。又、しおり体５１は、固着部５３の近傍が弾性体５２であり、その弾性体５２が着色されていて、その他の部分は無色透明になっている。
【０００４】
次にこの自動しおりの使用について説明する。
【０００５】
図１０は、書籍に上記の自動しおりを挟み込む状態を示した全体図であり、図１１は、この自動しおりを挟んだ書籍を小口方向から見た正面図であり、図１２は、この自動しおりを挟んだ書籍のページシートを捲る状態を示した図であり、図１３は、図１２に対応した図であって、しおり体付近の拡大図である。
【０００６】
これらの図を参照して、自動しおり５０は、ベースシート５を書籍の頁の間に挟み込み、しおり体５１を大きく跳ね上げ、その次に適当量のページシート１７をベースシート５の上に重ねた後、しおり体５１を元に戻してセットする。自動しおり５０をこのように挟むと、突出部５４が書籍の上側面２０から突出した状態になり、その突出部５４からしおり体１０が頁面に向かって垂れ下がった状態になる。このとき見開きになった頁の前にしおり体５１が被さることになるが、被さる部分が透明になっているので頁面を読むことに支障はない。
【０００７】
この状態で読者は、見開いた頁を読み、読み終えた後、一枚のページシート１７を捲る。すると図１３に示すように、ページシート１７の上方辺２５がしおり体５１の小口１８（図１２参照）側の側方辺５５ａと接触する。更にページシート１７を２点鎖線で示した位置まで捲ると、しおり体５１に接する点は、背表紙１９（図１２参照）方向に向かって接点５６から接点５７に移動する。これに伴ってしおり体５１は、２点鎖線で示した位置まで跳ね上げられる。更にページシート１７を捲ると、しおり体５１の先端がページシート１７の上方辺２５を越える。この地点を越えるとしおり体５１は、弾性力によってもとの位置に戻り、新しい見開き頁の紙面上に被さる。
【０００８】
これにより、読者が書籍１６を通常に読むだけでしおり体５１が自動的に移動する。そして読む事を止め書籍１６を閉じれば、常に読み進んだ最終ページにしおり体５１が挟まることになる。
【０００９】
【発明が解決しようとする課題】
上記のような、従来の自動しおりは、ページシートを捲る際にしおり体を真上に跳ね上げるために大きな抵抗が掛かり易い。そのため、書籍にセットしページシートを捲ったとき、スムーズに捲れないことが有る。
【００１０】
この発明は、上記のような課題を解決するためになされたもので、ページシートを抵抗無く滑らかに捲ることができる自動しおりを提供することを目的とする。
【００１１】
【課題を解決するための手段】
【００１５】
上記の目的を達成するために、請求項１に記載の発明は、書籍に挟んで使用する自動しおりであって、シート状のベースシートと、ベースシートの端縁であって所定距離離れた位置の各々に接続された一対の弾性体と、弾性体の各々に接続され、ベースシートに対向する位置に伸びるＶ字形状を有するシート状のしおり体とを備えたものである。
【００１６】
このように構成すると、自動しおりを右開き又は左開きのどちらの書籍にセットしたときでも、常にしおり体の小口側に位置する一辺が内方側に傾斜することになる。そのためページシートを捲ると必ずしおり体の傾斜した一辺とページシートの上方辺とが当接し、しおり体が跳ね上げられることになる。又、Ｖ字形状の各辺を構成するしおり体は、各々が先端部分のみで接合されている。そのため各々のしおり体は相互の動きが比較的自在である。そのためページシートを捲ったとき、ページシートの上方辺と当接する一方のしおり体が先に跳ね上げられ、遅れてもう一方のしおり体が跳ね上げられる。
【００１７】
請求項２に記載の発明は、請求項１に記載の発明の構成において、弾性体に、位置の各々を結ぶ線に平行な少なくとも１本の折り目線を設けたものである。
【００１８】
このように構成すると、弾性体は、折り目線の所で屈折した状態を保つことになる。そのためベースシートとしおり体とが、平行して対向した状態になるように弾性体を、折り目線を介して折り曲げ加工すると、安定してその平行状態が保たれることになる。
【００１９】
請求項３に記載の発明は、請求項１又は請求項２に記載の発明の構成において、ベースシートはその一辺から突出する２つの連結体を有し、弾性体の各々は連結体の各々の先端に接続されるものである。
【００２０】
このように構成すると、弾性体は、ベースシートの基準辺から連結体の分だけ離れた所に位置することになる。これにより自動しおりを書籍にセットするときに、連結体の辺と書籍の上側面とが同一レベルになるようにしても、弾性体が書籍の上側面から突出した状態になる。
【００２１】
請求項４に記載の発明は、請求項１から請求項３に記載の発明の構成において、ベースシート、弾性体及びしおり体は１枚の合成樹脂シートの折り曲げ加工によって成形されるものである。
【００２２】
このように構成すると、自動しおりは、一枚のシートから作ることができる。
【００２３】
【発明の効果】
【００２５】
以上説明したように、請求項１に記載の発明は、自動しおりのしおり体はＶ字形状をしているので、書籍に自動しおりをセットしたとき、書籍の右開き又は左開きに関係なく、小口側に位置するしおり体の一辺が必ず内方側に傾斜していることになる。そのため右開き又は左開きの書籍のどちらにでも対応できるので、２種類の自動しおりを準備する必要がない。この自動しおりを書籍に挟んでページシートを捲ると、しおり体の内方側に傾斜した一辺とページシートの上方辺とが当接しながらしおり体を跳ね上げる。このときＶ字形状の各辺を構成するしおり体は各々が比較的自在に動くことができるので、ページシートと当接する側のしおり体が先に跳ね上げられ、遅れてもう片方が跳ね上げられる。これによりしおり体の一辺に力が掛かったとき、弱い力で簡単に捻られた状態になる。そのためしおり体を跳ね上げる力が弱くても済む。よってページシートを捲る力は更に弱くても良く、ページシートを捲る動作が滑らかになる。そのため使い勝手が良い。
【００２６】
請求項２に記載の発明は、請求項１に記載の発明の効果に加えて、弾性体に折り目線を入れることによってベースシートとしおり体とが平行になった状態を形成している。そのためこの形状は、安定して保たれる。これにより、しおり体の跳ね上げを繰り返しても、折り癖がなくなることはなく、ベースシートとしおり体とが平行になった状態を長く保つことができる。そのため自動しおりの耐久性が向上する。
【００２７】
請求項３に記載の発明は、請求項１又は請求項２に記載の発明の効果に加えて、自動しおりを書籍にセットするときに、連結体の辺と書籍の上側面とが同一レベルになるようにしても、弾性体が書籍の上側面から突出した状態になる。そのため読書を止め書籍を閉じたときに、しおり体の位置が視認しやすい。一方で連結体の高さ分だけベースシートの基準辺は書籍の上側面から出ないようにセットできるため使い勝手が良い。
【００２８】
請求項４に記載の発明は、請求項１から請求項３に記載の発明の効果に加えて、しおり体は、１枚のシートから形成されているので製造が簡易であり、製造コストが安くなる。
【００２９】
図を参照して、自動しおり１は、四角シート形状のベースシート５と、ベースシート５の一辺から外部に突出して設けられた連結体６と、連結体６の先端である上方辺２９で接続し、上方辺２９に平行して複数本の折り目線１５を入れることにより曲げ加工された弾性体１２と、二等辺三角形状のシートであって、その底辺である接続辺３０で弾性体１２の端部と接続されたしおり体１０とからなっている。この自動しおり１は、１枚の合成樹脂製のシートを打ち抜いて折り曲げ加工されて形成されている。この合成樹脂シートは、ポリエチレン、ポリプロピレン等が使用されているので、曲げた状態での弾性があり、折り曲げ加工も容易にできる。
【００３０】
製造時には、しおり体１０の底辺をその辺に沿って連結体６に対してほぼ直角に折り曲げ、更にしおり体１０の底辺部近傍に底辺に平行して複数本折り目線１５を入れ、しおり体１０とベースシート５とがほぼ平行に対向するように加工する。又、しおり体１０は、無色透明であり、弾性体１２とベースシート５とは、色付けされたり図柄が付されたりする。
【００３１】
図２は、図１の自動しおりを挟んだ書籍を小口方向から見た図であり、図３は、図１の自動しおりを挟んだ書籍のページシートを捲る状態を示す図であり、図４は、図３に対応した図であって、しおり体付近の拡大図である。
【００３２】
これらの図を参照して、自動しおり１を書籍１６にセットするには、はじめに読書を希望する頁より適当量後ろの頁を開き、ベースシート５を開いた頁の奥に差込んで挟むと、ベースシート５がその頁の間に固定されて容易に脱落しないようになる。次にしおり体１０を大きく跳ね上げ、これから読む頁が一番上になるように適当量のページシート１７をベースシート５の上に重ねる。その次にしおり体１０を元に戻す。このときベースシート５の上方辺２６が書籍１６の上側面２０とほぼ同じ高さになるようにする。
【００３３】
このようにすると連結体６と弾性体１２とが書籍１６の上側面２０から突出し、しおり体１０がページシート１７の面とほぼ平行して対向した状態になる。これにより書籍１６を閉じたときに、しおり体１０の挟まっている位置が視認しやすい。一方で連結体６の高さの分だけベースシート５の基準辺である上方辺２６が書籍１６の上側面２０から突出しないようにセットできるため使い勝手が良い。又、読書をするとき、しおり体１０がページシート１７に被さっているが透明であるので読書に支障はない。
【００３４】
図３及び図４に示すように、自動しおり１がセットされた書籍１６のページシート１７を捲ると、ページシート１７の上方辺２５としおり体１０の傾斜辺１１ａが接点２３で当接する。この位置から２点鎖線で示した位置までページシート１７を捲ると当接する点は接点２４まで移動する。これに伴って、しおり体１０は、２点鎖線で示した位置まで跳ね上げられる。更にしおり体１０の先端がページシート１７の上方辺２５を越えるまでページシート１７を捲る。しおり体１０の先端がページシート１７の上方辺２５を越えると、跳ね上げられていたしおり体１０は元の状態に戻る。
【００３５】
ここでしおり体１０の辺を傾斜させることで、ページシート１７が捲りやすくなる理由について説明する。
【００３６】
図５は、書籍に上記の自動しおりをセットしページシートを捲った状態を示す模式図であり、その（１）は、書籍の上方から見た図であり、その（２）は、書籍の小口方向から見た図である。又、従来のしおり体５１を２点鎖線で示し、この発明の第１の実施の形態のしおり体１０を破線で示す。
【００３７】
これらの図を参照して、書籍１６のページシート１７を捲ると、従来のしおり体５１の場合、ベースシート５と平行な元の位置にあるしおり体５１の面から、ページシート１７の上方辺２５としおり体５１の側方辺５５ａとが当接する点Ａまで、水平方向に距離Ｌだけ離れる。一方、この発明のしおり体１０の場合、ページシート１７を同じだけ捲ると、ベースシート５と平行な元の位置にあるしおり体１０の面から、ページシート１７の上方辺２５としおり体１０の傾斜辺１１ａとが当接する点Ｂまで、水平方向に距離Ｓだけ離れる。このとき図で明らかのように距離Ｌより距離Ｓの方が短い。
【００３８】
この状態を小口側から見るとページシート１７を同じだけ捲った場合、従来のしおり体５１は、角度θ１まで跳ね上げられ、この発明によるしおり体１０は、角度θ１より小さな角度θ２まで跳ね上げられる。すなわちページシート１７を同じだけ捲った場合、この発明のしおり体１０の方が、跳ね上がりが少ないので結果として捲る力は小さな力で済むことになる。
【００３９】
又、ページシート１７としおり体１０の傾斜辺１１ａとの接点の移動を示す点Ｃから点Ｂまで、及びページシート１７としおり体５１の側方辺５５ａとの接点の移動を示す点Ｃから点Ａまでの移動距離は、この発明のしおり体１０の方が長い。しおり体１０，５１の先端がページシート１７を越えるときの、しおり体１０，５１の跳ね上がり角度は最終的には同じになるが、そのときのページシート１７の捲る角度αは、この発明のしおり体１０の方が大きくなる。すなわちしおり体１０，５１を同じ高さに跳ね上げるために、この発明のしおり体１０の方がページシート１７を捲る際の移動距離が長くなるので、ページシート１７を捲るために加える力は少なくて済む。
【００４０】
図６は、この発明の第２の実施の形態を示す自動しおりの全体図であり、図７は、この自動しおりを書籍にセットしページシートを捲った状態を示すしおり体付近の部分拡大図である。
【００４１】
これらの図を参照して、自動しおり１は、四角形のベースシート５と、ベースシート５の一辺に突出して設けられた一対の連結体６ａ，６ｂと、一対の連結体６ａ，６ｂに挟まれるように設けられた突出体１３と、その各々の連結体６ａ，６ｂの先端である上方辺２９ａ，２９ｂで接続され、上方辺２９ａ，２９ｂと平行して複数本の折り目線１５ａ，１５ｂを入れ折り曲げ加工された一対の弾性体１２ａ，１２ｂと、その各々の弾性体１２ａ，１２ｂの先端に接続辺３０ａ，３０ｂで接続される一対のしおり片２８ａ，２８ｂをその先端部で接合しＶ字シート形状にしたしおり体２７とから構成される。この自動しおり１は、第１の実施の形態で示した自動しおり１と同様に１枚の合成樹脂シートを打ち抜いて形成されている。
【００４２】
製造時には、Ｖ字形状のしおり体２７と連結体６ａ，６ｂとの接続部分である上方辺２９ａ，２９ｂをほぼ直角に折り曲げ、その上方辺２９ａ，２９ｂ近傍で連結体６ａ，６ｂと逆側に更に折り曲げ、上方辺２９ａ，２９ｂに平行して複数本の折り目線１５ａ，１５ｂを入れることによって弾性体１２ａ，１２ｂを形成している。この折目線１５ａ，１５ｂによってしおり体２７は、ベースシート５とほぼ平行に対向するように加工されている。このときしおり体２７がページシート１７の面に被さるが、しおり体２７は無色透明で有るので読書をすることに支障はない。又、ベースシート５及び弾性体１２ａ，１２ｂは色付けされたり図柄が付されたりする。
【００４３】
ここで第１の実施の形態と同様にして自動しおり１を書籍１６にセットする。つまり書籍１６の見開いた頁にベースシート５を重ね、その上に適当量のページシート１７を載せしおり体２７を重ねる。この自動しおり１をセットした書籍１６のページシート１７を捲ると、書籍１６の小口側になるしおり片２８ａの傾斜辺１１ａがページシート１７の上方辺２５に当接する。これによりＶ字形状の片側を形成するしおり片２８ａが最初に跳ね上げられる。もう一方のしおり片２８ｂは、Ｖ字の先端部でのみ繋がっているのでこの先端部を通じて力が伝わり続けて跳ね上げられる。このように、このしおり片２８ｂは、ページシート１７に当接する方のしおり片２８ａに遅れて跳ね上げられるので、このＶ字形状のしおり体２７全体としては捻られた形になる。
【００４４】
このように、Ｖ字形状のしおり体２７は、ページシート１７の上方辺２５が傾斜辺１１ａに当接したときから捻られた状態になる。そのためＶ字形状のしおり体２７を跳ね上げる力は小さくて済むので、ページシート１７を捲る力も弱くても済み、更にその動作は滑らかである。また、連結体６ａ，６ｂが設けられているので、ベースシート５の基準辺である上方辺２６が書籍１６の上側面２０より連結体６ａ，６ｂの分だけ下側に位置したときでも、弾性体１２ａ，１２ｂは書籍１６の上側面２０より上方に位置することになる。
【００４５】
又、連結体６ａ，６ｂの間に設けた突出体１３の上方辺を書籍１６の上側面２０と同じレベルにすると連結体６ａ，６ｂと弾性体１２ａ，１２ｂとの接続部分である上方辺２９ａ，２９ｂが書籍１６の上側面２０と同じレベルになるように構成されている。このため、突出体１３を用いてセットすると自動しおり１の調節が容易となる。更に弾性体１２ａ，１２ｂは、折り曲げ加工がされているのでページシート１７を繰り返し捲ったときでも折り目線１５が消えることがない。そのため自動しおり１は、耐久性がある。
【００４６】
図８は、この発明の第３の実施の形態を示す自動しおりの全体図である。
【００４７】
図を参照して、この第３の実施の形態による自動しおり１は、図６に示した第２の実施の形態による自動しおり１のＶ字形状のしおり体２７の片方を構成するしおり片２８ｂを省いた形状に対応している。
【００４８】
第２の実施の形態によるＶ字形状のしおり体２７は、右開き又は左開きの書籍に対応した形状であるが、この実施の形態による自動しおり１は、右開きの書籍専用に使用される。尚、左開きの書籍専用としては図６に示した自動しおり１のしおり片２８ａを省き、しおり片２８ｂを用いれば良い。この自動しおり１を右開きの書籍１６にセットし、ページシートを捲ると、必ずしおり片２８ａの傾斜片１１ａとページシートの上方辺とが当接する。このように図６に示したＶ字形状のしおり体２７の片方のしおり片２８ｂを除くと、跳ね上げが片方のみになるので更にしおり片２８ａの跳ね上げが弱い力で済む。よってページシートを捲る力がより弱くて済む。
【００４９】
尚、上記の第１の実施の形態において、二等辺三角形のしおり体を用いたがこれについても右開き又は左開きの書籍に対応した形状である。そのため書籍の開く方向が限定される場合には、対応する一方の辺のみが傾斜していれば良い。したがって、しおり体の形状は、背表紙側の辺を垂直にした直角三角形形状でも良い。
【００５０】
又、上記の各実施の形態において、１枚のシートを打ち抜いて折り曲げ加工したが、成形方法はこれに限る必要はなく、例えば合成樹脂を用いて一体成形することもできる。
【００５１】
更に、上記の各実施の形態において、弾性体に折り目線を入れたが、曲線状に曲げ加工しても良い。この場合、曲げ加工するときに熱を加えることによって、その曲げ形状を保つようにすればより耐久性が向上する。
【００５２】
更に、上記の実施の形態において、ベースシートと弾性体の間に連結体を設けたが、ベースシートの上方辺から直接弾性体が接続されていても良い。この場合は、ベースシートの上方辺と書籍の上側面とが同じレベルになるようにセットして使用すれば良い。
【００５３】
更に、上記の各実施の形態において、連結体はベースシートの上方辺から突出して形成されているが、ベースシート自体が連結体形状を含むように構成しても良い。
【図面の簡単な説明】
【図１】この発明の第１の実施の形態による自動しおりの構成を示す全体図である。
【図２】図１で示した自動しおりを挟んだ書籍を小口方向から見た正面図である。
【図３】図１で示した自動しおりを挟んだ書籍のページシートを捲る状態を示す図である。
【図４】図３に対応した図であって、しおり体付近の拡大図である。
【図５】書籍に図１で示した自動しおりをセットし、ページシートを捲った状態を示す模式図であり、その（１）は、書籍の上方から見た図であり、その（２）は、書籍の小口方向から見た図である。
【図６】この発明の第２の実施の形態による自動しおりの構成を示す全体図である。
【図７】図６で示した自動しおりを書籍にセットしページシートを捲った状態を示すしおり体付近の部分拡大図である。
【図８】この発明の第３の実施の形態による自動しおりの構成を示す全体図である。
【図９】従来の自動しおりの全体図である。
【図１０】書籍に図９で示した自動しおりを挟み込む状態を示した全体図である。
【図１１】図９で示した自動しおりを挟んだ書籍を小口方向から見た正面図である。
【図１２】図９で示した自動しおりを挟んだ書籍のページシートを捲る状態を示した図である。
【図１３】図１２に対応した図であって、しおり体付近の拡大図である。
【符号の説明】
５…ベースシート
６…連結体
１０…しおり体
１１…傾斜辺
１２…弾性体
１５…折り目線
２７…しおり体
２８…しおり片
３０…接続辺
尚、各図中同一符号は同一又は相当部分を示す。
【図１】
0003592686.tif 000002
【図２】
0003592686.tif 000003
【図３】
0003592686.tif 000004
【図４】
0003592686.tif 000005
【図５】
0003592686.tif 000006
【図６】
0003592686.tif 000007
【図７】
0003592686.tif 000008
【図８】
0003592686.tif 000009
【図９】
0003592686.tif 000010
【図１０】
0003592686.tif 000011
【図１１】
0003592686.tif 000012
【図１２】
0003592686.tif 000013
【図１３】
0003592686.tif 000014